(57)【特許請求の範囲】
【請求項１】
システムの起動を指示する起動指示手段と、
前記起動指示手段によってシステムの起動が指示されたとき、交信領域内にある無線タグと無線通信してその無線タグに記憶されたタグ情報を読み取る無線読取手段と、
特定の無線タグのタグ情報に対して実行すべき異常処理の内容を記憶した処理内容記憶手段と、
前記無線読取手段によって読み取られたタグ情報が予め定められた起動条件を満たすとき、前記システムを起動する第１制御手段と、
前記無線読取手段によって読み取られたタグ情報が前記起動条件を満たさないとき、前記処理内容記憶手段において当該タグ情報に対して設定された内容の異常処理を実行する第２制御手段と、
を備えていることを特徴とする電子機器。
【請求項２】
特定の無線タグのタグ情報を記憶した記憶手段をさらに備え、
前記起動条件は、前記無線読取手段によって無線タグから読み取られたタグ情報と、前記記憶手段に記憶されたタグ情報とが一致することである、ことを特徴とする請求項１に記載の電子機器。
【請求項３】
当該電子機器の各部に動作電源を供給する電源供給手段をさらに備え、
前記第２制御手段は、前記無線読取手段によって読み取られたタグ情報が前記起動条件を満たさず、かつ当該タグ情報が前記処理内容記憶手段に記憶されていない場合、前記電源供給手段による各部への動作電源の供給を停止させる、ことを特徴とする請求項１又は２に記載の電子機器。
【請求項４】
前記無線読取手段は、その交信領域を当該電子機器の設置面に向けて形成することを特徴とする請求項１乃至３のうちいずれか１に記載の電子機器。
【請求項５】
システムの起動を指示する起動指示手段と、前記起動指示手段によってシステムの起動が指示されたとき、交信領域内にある無線タグと無線通信してその無線タグに記憶されたタグ情報を読み取る無線読取手段と、特定の無線タグのタグ情報に対して実行すべき異常処理の内容を記憶した処理内容記憶手段と、を備えたコンピュータに、
前記無線読取手段によって読み取られたタグ情報が予め定められた起動条件を満たすとき、前記システムを起動する第１制御機能と、
前記無線読取手段によって読み取られたタグ情報が前記起動条件を満たさないとき、前記処理内容記憶手段において当該タグ情報に対して設定された内容の異常処理を実行する第２制御機能と、
を実現させるためのプログラム。
【発明の詳細な説明】
【技術分野】
【０００１】
本発明の実施形態は、各種処理を実行する電子機器およびプログラムに関する。
【背景技術】
【０００２】
従来、商品の販売やサービスの提供を行う各種店舗において、顧客が購入した商品やサービスの決済を行うＰＯＳ（Point Of Sales）端末、ＥＣＲ（Electric Cash Register）、カード決済端末等の決済端末が使用されている。
【先行技術文献】
【特許文献】
【０００３】
【特許文献１】特開２００５−１０７６６１号公報
【発明の概要】
【発明が解決しようとする課題】
【０００４】
近年、決済端末の小型化および軽量化が進み、手軽に持ち運べるものが多く存在する。そのため、決済端末の盗難等が危惧されている。決済端末には店舗の売り上げに関する情報や顧客の個人情報のような情報が記憶されていることがあり、決済端末が盗難され、これらの情報が閲覧されれば店舗や顧客が損害を受けかねない。
【０００５】
なお、盗難等のリスクは、決済端末に限らず、パーソナルコンピュータ等の他の電子機器でも同様に生じる問題でもある。
【０００６】
このような事情から、盗難されるなどした電子機器からの不正な情報取得や、その電子機器の悪用を防止するための手段を講じる必要があった。
【課題を解決するための手段】
【０００７】
上記課題を解決すべく、一実施形態における電子機器は、起動指示手段と、無線読取手段と、処理内容記憶手段と、第１制御手段と、第２制御手段とを備えている。  
上記起動指示手段は、システムの起動を指示する。上記無線読取手段は、上記起動指示手段によってシステムの起動が指示されたとき、交信領域内にある無線タグと無線通信してその無線タグに記憶されたタグ情報を読み取る。上記処理内容記憶手段は、特定の無線タグのタグ情報に対して実行すべき異常処理の内容を記憶する。上記第１制御手段は、上記無線読取手段によって読み取られたタグ情報が予め定められた起動条件を満たすとき、上記システムを起動する。上記第２制御手段は、上記無線読取手段によって読み取られたタグ情報が上記起動条件を満たさないとき、上記処理内容記憶手段において当該タグ情報に対して設定された内容の異常処理を実行する。
【図面の簡単な説明】
【０００８】
【図１】第１の実施形態における決済端末の外観斜視図。
【図２】同実施形態における決済端末の制御回路を示すブロック図。
【図３】同実施形態におけるレジカウンタと同カウンタに載置された決済端末の概略斜視図。
【図４】同実施形態における制御部が備えるメモリの構成を示す図。
【図５】同実施形態において制御部が実行する処理のフローチャート。
【図６】同実施形態において制御部が実行する処理のフローチャート。
【図７】第２の実施形態における処理テーブルの内容を示す図。
【図８】同実施形態において制御部が実行する処理のフローチャート。
【発明を実施するための形態】
【０００９】
以下、いくつかの実施形態につき、図面を参照しながら説明する。  
（第１の実施形態）
先ず、第１の実施形態について説明する。  
本実施形態では、商品の販売やサービスの提供を行う各種店舗にて使用される決済端末を例示する。  
図１は、本実施形態における決済端末１の外観斜視図である。  
この決済端末１は、本体ユニットＡと表示ユニットＢとを有する。表示ユニットＢは、背面側のヒンジ部（不図示）によって本体ユニットＡに対し回動自在に取り付けられている。このヒンジ部を軸として、表示ユニットＢは、図中の矢印Ｐの示す方向に向けて本体ユニットＡから開閉する。
【００１０】
表示ユニットＢの上面には、ＬＣＤ（Liquid Crystal Display）１０、タッチパネル１１、および突出部１２等が設けられている。ＬＣＤ１０は、表示ユニットＢが閉じられた際にその表示面が決済端末１の正面側のやや上方を向くように設けられ、商品の販売に関する情報等を選択的に表示する。
【００１１】
タッチパネル１１は、ＬＣＤ１０の表示面上に設けられ、ＬＣＤ１０に表示されたＧＵＩ（Graphical User Interface）部品のタッチ操作を検出する。
【００１２】
突出部１２は、決済端末１を正面側から見た右方に設けられている。突出部１２と表示ユニットＢの筐体との間には、スライド溝１３が形成される。表示ユニットＢを閉じた際には、突出部１２が設けられた側の表示ユニットＢの筐体の側壁と、本体ユニットＡの筐体の側壁とが同一平面上に位置する。したがって、表示ユニットＢが閉じられた状態においては、スライド溝１３の延長線と本体ユニットＡの筐体面とが交わらず、スライド溝１３にスライドされるカードが本体ユニットＡの筐体と接触することはない。
【００１３】
本体ユニットＡの筐体面には、決済端末１の各部への電源供給をオン／オフする電源スイッチ１４が設けられている。
【００１４】
表示ユニットＢが閉じられた状態において、本体ユニットＡと表示ユニットＢとの間には、プリンタ２６（図２参照）によって印刷されたレシートやクレジット伝票が発行される発行口１５が形成される。
【００１５】
図２は、決済端末１の制御回路を示すブロック図である。  
本体ユニットＡ側の制御回路は、制御部２０に対して、通信部２１、無線リーダライタ（Ｒ／Ｗ）２２、および電源回路２３等を接続し、上記無線リーダライタ２２にアンテナ２４を接続し、上記電源スイッチ（ＳＷ）１４を電源回路２３に接続して構成されている。
【００１６】
表示ユニットＢ側の制御回路は、上記ＬＣＤ１０、上記タッチパネル１１、およびカードリーダ２５等を接続して構成されている。  
また、本体ユニットＡおよび表示ユニットＢの制御回路には、本体ユニットＡおよび表示ユニットＢに設けられた用紙搬送機構やサーマルヘッドによって構成されるプリンタ２６が接続されている。
【００１７】
通信部２１は、通信ケーブルを介して店舗内のＬＡＮ（Local Area Network）やインターネット等の外部ネットワークと接続されており、これらネットワークを介して店舗の内外に設置されたサーバ等との通信を行う。
【００１８】
電源回路２３は、電源スイッチ１４がオンされているときに商用交流電源等の外部電源またはバッテリから電力を取り込んで動作電源を生成する。電源回路２３は、このようにして生成した動作電源を本体ユニットＡおよび表示ユニットＢの各部に供給し、電源スイッチ１４がオフされているときには本体ユニットＡおよび表示ユニットＢの各部への動作電源の供給を停止する。また、電源回路２３は、電源スイッチ１４がオンされているときであっても制御部２０から電源供給の停止が指令されると各部への電源供給を停止する。
【００１９】
カードリーダ２５は、スライド溝１３にスライドされるクレジットカード等に付された磁性体からカード情報を読み取り、制御部２０に出力する。
【００２０】
プリンタ２６は、決済端末１の内部に収納されたロールから送り出される感熱紙に対しサーマルヘッドにより熱を加えて文字等のパターンを印刷し、レシートやクレジット伝票として発行口１５から発行する。
【００２１】
無線リーダライタ２２は、所定の搬送波を変調してＲＦＩＤタグへの問合せ信号を生成し、アンテナ２４に出力すると共に、アンテナ２４から入力される応答信号を復調してＲＦＩＤタグから応答されたデータを得る。
【００２２】
アンテナ２４は、無線リーダライタ２２から入力される上記問合せ信号を交信領域内に送信する。上記ＲＦＩＤタグは、各タグで固有のタグＩＤを含むデータを記憶したＩＣと小型のアンテナとを有し、このアンテナにて上記問合せ信号を受信すると、ＩＣに記憶されたデータをバックスキャッタ変調した応答信号を返信する。アンテナ２４は、交信領域内にあるＲＦＩＤタグから返信される上記応答信号を受信して無線リーダライタ２２に出力する。
【００２３】
当該店舗に設けられたレジカウンタ１００およびこのレジカウンタに載置された決済端末１の概略斜視図を図３に示す。  
レジカウンタ１００の上面は、決済端末１やその他の機器等を設置するための設置面となっている。また、レジカウンタ１００の所定位置には、ＲＦＩＤタグ２００が取り付けられている。
【００２４】
本実施形態におけるアンテナ２４は、本体ユニットＡの筐体内であって、同筐体のレジカウンタ等の設置面に接する側の一面（図３における下面３００）の近傍に設けられており、設置面の方向に信号を送信するとともに、設置面の方向から到来する信号を受信する。すなわち、アンテナ２４の交信領域は、決済端末１の設置面の方向に形成される。
【００２５】
なお、ＲＦＩＤタグ２００は、その真上付近に決済端末１が載置された際にアンテナ２４の交信領域内に位置するのであれば、レジカウンタ１００に埋め込まれていてもよいし、レジカウンタ１００の上面（すなわち設置面）または裏面に貼り付けられていてもよい。
【００２６】
制御部２０は、ＣＰＵ２０１と、ＲＯＭ、ＲＡＭ、あるいはＨＤＤ等で構成されるメモリ２０２とを有する。メモリ２０２は、例えば図４に示すように、ＢＩＯＳ（Basic Input/Output System）プログラム２２１やＯＳ（Operating System）ファイル２２２等を記憶している。また、メモリ２０２には、所定のＲＦＩＤ（Radio Frequency Identification）タグのタグＩＤを記憶するためのタグＩＤ設定エリア２２３が設けられている。
【００２７】
ここで、タグＩＤ設定エリア２２３には、ＲＦＩＤタグ２００のタグＩＤが記憶されているものとする。ただし、後述のタグＩＤ設定処理により、タグＩＤ設定エリア２２３に記憶するタグＩＤを他のＲＦＩＤタグのものに変更することが可能である。
【００２８】
ＣＰＵ２０１がＢＩＯＳプログラム２２１を実行するとＢＩＯＳが起動され、このＢＩＯＳの制御の下でＣＰＵ２０１がＯＳファイル２２２に含まれる各種プログラムを実行してＯＳが起動される。制御部２０は、これらＢＩＯＳおよびＯＳの制御下にて決済端末１の各部を制御する。
【００２９】
制御部２０の具体的な動作について説明する。  
電源スイッチ１４がオンされ、電源回路２３から各部への動作電源の供給が開始されると、制御部２０がＢＩＯＳの下で動作する。このとき制御部２０は、決済端末１の各部の初期化処理や診断処理を行った後、図５のフローチャートに沿って動作する。
【００３０】
すなわち、先ず制御部２０は、無線リーダライタ２２にＲＦＩＤタグの読み取りを指令する（ステップＳ１０１）。このとき、無線リーダライタ２２は、アンテナ２４に問合せ信号を出力し、その交信領域内に送信させる。この問合せ信号に対する応答信号がアンテナ２４で受信されると、無線リーダライタ２２は、当該応答信号を復調してデータを得、制御部２０に出力する。
【００３１】
ステップＳ１０１の処理の後、制御部２０は、ＲＦＩＤタグが読み取られたか否かを判定する（ステップＳ１０２）。  
ステップＳ１０１の処理において無線リーダライタ２２からデータが入力されている場合、制御部２０はＲＦＩＤタグが読み取られたと判定し（ステップＳ１０２のＹｅｓ）、無線リーダライタ２２から入力されたデータがＯＳの起動条件を満たすか否かを判定する（ステップＳ１０３）。
【００３２】
ここで、本実施形態における起動条件は、ＲＦＩＤタグから読み取られたデータに含まれるタグＩＤと、タグＩＤ設定エリア２２３に記憶されたタグＩＤとが一致すること、であるとする。
【００３３】
すなわち、ステップＳ１０３の処理において、制御部２０は、無線リーダライタ２２から入力されたデータに含まれるタグＩＤと、タグＩＤ設定エリア２２３に記憶されたタグＩＤとが一致するか否かを判定する。
【００３４】
レジカウンタ１００のＲＦＩＤタグ２００がアンテナ２４の交信領域内に位置するように決済端末１が設置されているならば、ステップＳ１０１の処理においてＲＦＩＤタグ２００からデータが読み取られる。したがって、無線リーダライタ２２から入力されたデータに含まれるタグＩＤとタグＩＤ設定エリア２２３に記憶されたタグＩＤとが一致する（ステップＳ１０３のＹｅｓ）。このとき制御部２０は、ＯＳの起動処理を実行する（ステップＳ１０４）。この起動処理において、制御部２０は、ＯＳファイル２２２に含まれるプログラムを実行してＯＳを起動する。
【００３５】
ステップＳ１０１の処理において無線リーダライタ２２からデータが入力されていない場合、制御部２０は、ＲＦＩＤタグが読み取られていないと判定する（ステップＳ１０２のＮｏ）。この場合、および、ステップＳ１０３の処理において無線リーダライタ２２から入力されたデータに含まれるタグＩＤとタグＩＤ設定エリア２２３に記憶されたタグＩＤとが一致しないと判定した場合（ステップＳ１０３のＮｏ）、制御部２０は、異常処理を実行する（ステップＳ１０５）。
【００３６】
この異常処理において、制御部２０は、例えば決済端末１の設置場所が正しくない旨をユーザに知らせるメッセージをＬＣＤ１０に表示させるなどして異常を報知する。さらに、制御部２０は、電源回路２３に各部への電源供給の停止を指令する。この指令を受けたとき、電源回路２３は、各部への動作電源の供給を停止する。
【００３７】
ステップＳ１０４の処理においてＯＳが起動された後、制御部２０は、ＯＳの下で動作する。このとき制御部２０は、決済処理を行うためのソフトウェアを実行するなどして、各種の処理を行う。
【００３８】
このように、本実施形態における決済端末１は、タグＩＤ設定エリア２２３のタグＩＤを含むデータが無線リーダライタ２２によって読み取られたときに限りＯＳの起動処理を実行し、タグＩＤ設定エリア２２３に記憶されたタグＩＤを含むデータが無線リーダライタ２２によって読み取られない場合には、各部への動作電源の供給を停止させるなどの異常処理を実行する。すなわち、決済端末１は、タグＩＤ設定エリア２２３のタグＩＤが記憶されたＲＦＩＤタグを無線リーダライタ２２が読み取れる位置に設置されていない限り、ＯＳを起動できない。
【００３９】
ＯＳが起動された後に実行される上記決済処理において、制御部２０は、先ず顧客が購入しようとする商品やサービスに関する情報のタッチパネル１１の操作による入力を受け付ける。この情報が入力されると、制御部２０は、同情報で示される商品やサービスの代金を、例えば通信部２１を介したサーバとの通信によって特定する。次に、制御部２０は、クレジットカード等の決済カードのカードリーダ２５による読み取りを受け付ける。このときスライド溝１３に決済カードがスライドされ、カードリーダ２５がその決済カードからカード情報を読み取ると、制御部２０は、そのカード情報やタッチパネル１１の操作により入力された商品やサービスに関する情報を、通信部２１を介してカード決済事業の管理サーバに送信し、決済可否の認証を受ける。そして、この認証の結果が決済可であれば、制御部２０は、プリンタ２６に当該決済のクレジット伝票を発行させるなどして、１取引の決済処理を完結させる。このような決済処理の履歴は、例えばメモリ２０２に記憶される。
【００４０】
次に、ステップＳ１０３の処理において無線リーダライタ２２から入力されるタグＩＤとの比較に用いられるタグＩＤを設定するタグＩＤ設定処理について説明する。
【００４１】
ＯＳが起動された後、ユーザがタッチパネル１１を操作するなどしてタグＩＤ設定処理の実行を指示すると、制御部２０は、図６のフローチャートに沿って動作する。
【００４２】
すなわち、先ず制御部２０は、無線リーダライタ２２にＲＦＩＤタグの読み取りを指令する（ステップＳ２０１）。このとき、無線リーダライタ２２は、アンテナ２４に問合せ信号を出力し、その交信領域内に送信させる。この問合せ信号に対する応答信号がアンテナ２４で受信されると、無線リーダライタ２２は、当該応答信号を復調してデータを得、制御部２０に出力する。
【００４３】
ステップＳ２０１の処理の後、制御部２０は、ＲＦＩＤタグが読み取られたか否かを判定する（ステップＳ２０２）。  
ステップＳ２０１の処理において無線リーダライタ２２からデータが入力されている場合、制御部２０はＲＦＩＤタグが読み取られたと判定し（ステップＳ２０２のＹｅｓ）、タグＩＤ設定エリア２２３に記憶されたタグＩＤを削除して、無線リーダライタ２２から入力されたデータに含まれるタグＩＤをタグＩＤ設定エリア２２３に記憶する（ステップＳ２０３）。
【００４４】
一方、ステップＳ２０１の処理において無線リーダライタ２２からデータが入力されていない場合、制御部２０は、ＲＦＩＤタグが読み取られていないと判定する（ステップＳ２０２のＮｏ）。このとき、制御部２０は、例えばＲＦＩＤタグが読み取られなかった旨をユーザに知らせるメッセージをＬＣＤ１０に表示させるなどしてエラーを報知する（ステップＳ２０４）。  
ステップＳ２０３またはステップＳ２０４の処理を以って、一連のタグＩＤ設定処理が終了する。
【００４５】
上記ステップＳ２０３の処理にて新たなタグＩＤがタグＩＤ設定エリア２２３に記憶された後に図５のフローチャートに示す処理が実行される際には、当該新たなタグＩＤが起動条件成立の判定に用いられる。
【００４６】
このように、タグＩＤ設定処理ではアンテナ２４の交信領域内に存在する無線タグから読み取られたタグＩＤを、その後の処理で起動条件成立の判定に用いるタグＩＤに設定する。すなわちユーザは、決済端末１の設置場所を変更したいならば、それまでの設置場所であるレジカウンタ１００に取り付けられていたＲＦＩＤタグ２００と異なるＲＦＩＤタグが取り付けられたレジカウンタに決済端末１を移動させ、タグＩＤ設定処理を実行させればよい。
【００４７】
（第２の実施形態）
第２の実施形態について説明する。  
本実施形態においては、図５のステップＳ１０５の処理にて実行する異常処理を、ＲＦＩＤタグから読み取ったタグＩＤに応じて変更する点で、第１の実施形態と異なる。  
決済端末１の外観構成、制御回路、およびタグＩＤ設定処理の流れは、図１、図２、および図６を用いて説明したものと同様である。また、電源供給開始後の動作の流れは、異常処理の具体的な内容を除き、図５を用いて説明したものと同様である。
【００４８】
本実施形態におけるメモリ２０２には、ＢＩＯＳプログラム２２１およびＯＳファイル２２２に加え、図７に示す処理テーブル２２４が記憶され、第１の実施形態と同様にタグＩＤ設定エリア２２３が設けられている。
【００４９】
処理テーブル２２４は、「１」〜「４」のナンバ（Ｎｏ．）が付された４つのエリアを有している。各エリアには、タグＩＤと、このタグＩＤがステップＳ１０１の処理にて読み取られた際の異常処理にて実行すべき具体的な処理内容とが設定されている。図示した例のナンバ「１」「２」のエリアには、それぞれタグＩＤ「ＴＩＤ１」「ＴＩＤ２」と、「設置場所が異なる旨を報知し、起動を許可する」との処理内容が設定され、ナンバ「３」のエリアには、タグＩＤ「ＴＩＤ３」と、「パスワード入力を要求し、一致するならば起動を許可する」との処理内容が設定されている。また、ナンバ「４」のエリアには、タグＩＤが設定されておらず、「電源供給を停止する」との処理内容が設定されている。なお、図７の例では処理テーブル２２４の処理内容を単にメッセージで表示しているが、実際にはこれらメッセージで示される処理を実現するためのプログラムや、メモリ２０２に記憶された既存のプログラムにてこれらメッセージで示される処理を実現するためのパラメータ等が設定される。  
このような構成の処理テーブル２２４は、例えばＯＳの制御下で実行されるテーブル設定処理によってその内容を変更可能である。
【００５０】
次に、本実施形態における異常処理について説明する。  
ステップＳ１０１の処理にて無線リーダライタ２２からデータが入力されたが（ステップＳ１０２のＹｅｓ）、このデータに含まれるタグＩＤとタグＩＤ設定エリア２２３に設定されたタグＩＤとが一致しない場合（ステップＳ１０３のＮｏ）の異常処理において、制御部２０は、図８のフローチャートに沿って動作する。
【００５１】
すなわち、制御部２０は、ステップＳ１０１の処理にて入力されたデータに含まれるタグＩＤと一致するタグＩＤを処理テーブル２２４から検索する（ステップＳ３０１）。
【００５２】
次に、制御部２０は、ステップＳ３０１の処理における比較の結果、ステップＳ１０１の処理にて入力されたデータに含まれるタグＩＤと一致するものが処理テーブル２２４から発見されたかを判定する（ステップＳ３０２）。一致するタグＩＤが発見されている場合（ステップＳ３０２のＹｅｓ）、制御部２０は、当該タグＩＤのエリアに設定された処理内容を処理テーブル２２４から読み出し、その処理内容に従って動作する（ステップＳ３０３）。
【００５３】
すなわち、ステップＳ１０１の処理にて入力されたデータに含まれるタグＩＤが「ＴＩＤ１」あるいは「ＴＩＤ２」である場合、制御部２０は、決済端末１の設置場所が正しくない旨をユーザに知らせるメッセージをＬＣＤ１０に表示させるなどして報知する。その後、制御部２０は、ＯＳファイル２２２に含まれるプログラムを実行してＯＳを起動する。
【００５４】
また、ステップＳ１０１の処理にて入力されたデータに含まれるタグＩＤが「ＴＩＤ３」である場合、制御部２０は、パスワードの入力欄とテンキーとをＬＣＤ１０に表示させ、パスワードの入力を受け付ける。このときユーザが上記テンキーを操作して上記入力欄にパスワードを入力すると、制御部２０は、当該入力されたパスワードと、予めメモリ２０２等に記憶されたパスワードとを比較し、一致するならばＯＳファイル２２２に含まれるプログラムを実行してＯＳを起動する。なお、一致しないならば所定のメッセージをＬＣＤ１０に表示させてその旨警告し、再度パスワードの入力を受け付ける。その後、所定回数パスワードが一致しないならば、制御部２０は、電源回路２３に各部への電源供給の停止を指令する。この指令を受けたとき、電源回路２３は、各部への動作電源の供給を停止する。
【００５５】
一方、ステップＳ３０１の処理における比較の結果、ステップＳ１０１の処理にて入力されたデータに含まれるタグＩＤと一致するものが処理テーブル２２４から発見されなかった場合（ステップＳ３０２のＮｏ）、制御部２０は、処理テーブル２２４のナンバ「４」のエリアに設定された処理を実行する（ステップＳ３０４）。すなわち、制御部２０は、電源回路２３に各部への電源供給の停止を指令する。この指令を受けたとき、電源回路２３は、各部への動作電源の供給を停止する。  
ステップＳ３０３またはステップＳ３０４を以って、異常処理が終了する。
【００５６】
なお、ステップＳ１０１の処理にて無線リーダライタ２２からデータが入力されなかった場合には（ステップＳ１０２のＮｏ）、制御部２０は、第１の実施形態にて説明した異常処理を実行する。
【００５７】
このように、本実施形態においては、ＲＦＩＤタグから読み取ったタグＩＤに応じて異常処理の内容を変更する。このような構成とすれば、店舗の運営に適した決済端末１の動作を実現可能となる。  
例えばＲＦＩＤタグが取り付けられたレジカウンタ等の設置場所が複数個所ある店舗において決済端末１を使用する場合に、あるＲＦＩＤタグのタグＩＤを上記タグＩＤ設定処理によってタグＩＤ設定エリア２２３に記憶し、その他のＲＦＩＤタグのタグＩＤを処理テーブル２２４に設定しておく。さらに、処理テーブル２２４に設定した各タグＩＤに対して「パスワードの入力を要求し、一致するなら起動を許可する」旨の処理内容を設定する。このようにしておけば、決済端末１を店舗内で移動させ、タグＩＤ設定エリア２２３に記憶されたタグＩＤに対応するＲＦＩＤタグが取り付けられた設置場所以外の設置場所で起動した場合であっても、パスワードを入力することで決済端末１を起動することができる。ただし、決済端末１が盗難された場合、盗難者が当該店舗外等で決済端末１を起動しようとしても、異常処理において電源回路２３から各部への動作電源の供給が停止されるので、決済端末１を起動することができない。
【００５８】
以上、第１および第２の実施形態にて説明したように、決済端末１は、電源スイッチ１４がオンされるなどしてシステムの起動が指示された際に、無線リーダライタ２２によって読み取られたデータに含まれるタグＩＤが予め設定された起動条件を満たすときにはＯＳを起動し、同タグＩＤが起動条件を満たさないとき、または、無線リーダライタ２２によってデータが読み取られなかったときには、ＯＳを起動せずに異常処理を実行する。このような構成であれば、起動条件を満たすタグＩＤが記憶されたＲＦＩＤタグの近傍でしか決済端末１を起動できないので、決済端末１が盗難された場合であっても決済端末１の悪用やメモリ２０２に記憶された情報の流出を防ぐことができる。
【００５９】
また、第１および第２の実施形態では、無線リーダライタ２２によって読み取られたデータに含まれるタグＩＤがタグＩＤ設定エリア２２３に記憶されたタグＩＤと一致することを起動条件として採用した。通常、ＲＦＩＤタグのタグＩＤは、各ＲＦＩＤタグで固有のものに設定されている。したがって、このような構成であれば、ある１つのＲＦＩＤタグの近傍でのみ決済端末１の起動が可能となり、決済端末１のセキュリティ性が格段に向上する。
【００６０】
また、第１および第２の実施形態では、アンテナ２４の交信領域を決済端末１の設置面に向けて形成させるとした。このような構成であれば、決済端末１が設置されるレジカウンタの裏面やカウンタの内部のように作業の邪魔にならず、レジまわりの外観を損なわない位置にＲＦＩＤタグを取り付けることが可能となる。
【００６１】
（変形例）
上記各実施形態にて開示した構成は、種々変形実施可能である。具体的な変形例としては、例えば次のようなものがある。
【００６２】
（１）上記各実施形態では、商品やサービスの決済に使用される決済端末１を例示した。しかしながら、図５，図６で示した処理や以下に説明する変形例の処理等を実現するための構成を、例えばパーソナルコンピュータやプリンタ等の他種の電子機器に適用してもよい。
【００６３】
（２）上記各実施形態では、アンテナ２４の交信領域を決済端末１の設置面に向けて形成させるとした。しかしながら、アンテナ２４の交信領域を、例えば図１に示した決済端末１の背面側に向けて形成させてもよい。この場合には、決済端末１の設置場所に隣接する壁面にＲＦＩＤタグを取り付け、このＲＦＩＤタグのタグＩＤを上記タグＩＤ設定処理によりタグＩＤ設定エリア２２３に記憶させればよい。
【００６４】
また、無線リーダライタ２２やアンテナ２４を有するユニットを決済端末１の本体ユニットＡや表示ユニットＢと別体で設け、通信ケーブルを介して本体ユニットＡや表示ユニットＢの制御回路に接続してもよい。このようにすれば、レジカウンタや壁面に限らず、様々な位置に設けたＲＦＩＤタグからデータを読み取って起動条件成立の判定に用いることができる。さらに、システムの起動後にこのユニットをレジカウンタ上に置いておき、ＲＦＩＤタグが内蔵された決済用の電子マネー媒体から電子マネー情報を読み取る用途で使用してもよい。
【００６５】
（３）上記各実施形態では、無線リーダライタ２２によって読み取られたデータに含まれるタグＩＤがタグＩＤ設定エリア２２３に記憶されたタグＩＤと一致することを起動条件として採用した場合を例示した。しかしながら、起動条件は他のものであってもよい。例えば、ＲＦＩＤタグに記憶されたデータに含まれるタグＩＤ以外の情報とメモリ２０２に設けた所定エリアに記憶された情報とが一致することを起動条件としてもよい。また、レジカウンタに取り付けるＲＦＩＤタグのユーザ領域に起動可を示す情報を記憶しておき、無線リーダライタ２２によってこの起動可を示す情報が読み取られることを起動条件としてもよい。
【００６６】
また、異常処理として、上記各実施形態で説明したもの以外の処理を実行するようにしてもよい。例えば、異常処理として図示せぬスピーカから警告音を発生させてもよいし、メモリ２０２等に記憶された情報を自動的に消去するようにしてもよい。
【００６７】
（４）上記各実施形態では、起動条件が成立した際に起動されるシステムがＯＳである場合を例示した。しかしながら、起動条件が成立した際に起動されるシステムを、例えば特定のアプリケーションプログラムで実現されるシステムのような他のシステムとしてもよい。また、このようなシステムの起動が制御部２０にて実行されるソフトウェアによって指示されてもよいし、通信部２１に接続された外部装置によって指示されてもよい。
【００６８】
（５）上記各実施形態では、制御部２０のＣＰＵ２０１がメモリ２０２に記憶されたプログラムを実行することにより、図５，図６に示した処理等が実現されるとした。しかしながら、これに限らずこのプログラムを所定のネットワークから決済端末１にダウンロードさせたり、記録媒体から決済端末１にインストールさせたりしてもよい。記録媒体としては、ＣＤ−ＲＯＭ等を利用でき、かつ決済端末１やこれに接続された装置が読み取り可能な記録媒体であれば、その形態は何れの形態であってもよい。また、このように予めインストールやダウンロードにより得るプログラムと、ＯＳ等とが協働して各種機能を実現させるものであってもよい。
【００６９】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
本願の出願当初の特許請求の範囲に記載された発明を以下に付記する。
［１］システムの起動を指示する起動指示手段と、前記起動指示手段によってシステムの起動が指示されたとき、交信領域内にある無線タグと無線通信してその無線タグに記憶されたタグ情報を読み取る無線読取手段と、前記無線読取手段によって読み取られたタグ情報が予め定められた起動条件を満たすとき、前記システムを起動する第１制御手段と、前記無線読取手段によって読み取られたタグ情報が前記起動条件を満たさないとき、又は、前記無線読取手段によってタグ情報が読み取られなかったとき、前記システムを起動せずに所定の異常処理を実行する第２制御手段と、を備えていることを特徴とする電子機器。
［２］特定の無線タグのタグ情報を記憶した記憶手段をさらに備え、前記起動条件は、前記無線通信手段によって無線タグから読み取られたタグ情報と、前記記憶手段に記憶されたタグ情報とが一致することである、ことを特徴とする上記［１］に記載の電子機器。
［３］当該電子機器の各部に動作電源を供給する電源供給手段をさらに備え、前記異常処理は、前記電源供給手段による各部への動作電源の供給を停止させることである、ことを特徴とする上記［１］又は［２］に記載の電子機器。
［４］特定の無線タグのタグ情報に対して実行すべき異常処理の内容を記憶した処理内容記憶手段をさらに備え、前記第２制御手段は、前記無線読取手段によって読み取られたタグ情報が前記起動条件を満たさないとき、前記処理内容記憶手段において当該タグ情報に対して設定された内容の異常処理を実行することを特徴とする上記［１］乃至［３］のうちいずれか１に記載の電子機器。
［５］前記無線読取手段は、その交信領域を当該電子機器の設置面に向けて形成することを特徴とする上記［１］乃至［４］のうちいずれか１に記載の電子機器。
［６］システムの起動を指示する起動指示手段と、前記起動指示手段によってシステムの起動が指示されたとき、交信領域内にある無線タグと無線通信してその無線タグに記憶されたタグ情報を読み取る無線読取手段と、を備えたコンピュータに、前記無線読取手段によって読み取られたタグ情報が予め定められた起動条件を満たすとき、前記システムを起動する第１制御機能と、前記無線読取手段によって読み取られたタグ情報が前記起動条件を満たさないとき、又は、前記無線読取手段によってタグ情報が読み取られなかったとき、前記システムを起動せずに所定の異常処理を実行する第２制御機能と、を実現させるためのプログラム。
【符号の説明】
【００７０】
１…決済端末、Ａ…本体ユニット、Ｂ…表示ユニット、１４…電源スイッチ、２０…制御部、２２…無線リーダライタ、２３…電源回路、２４…アンテナ、１００…レジカウンタ、２００…ＲＦＩＤタグ、２２３…タグＩＤ設定エリア、２２４…処理テーブル
【図１】
0005358594.tif 000002
【図２】
0005358594.tif 000003
【図３】
0005358594.tif 000004
【図４】
0005358594.tif 000005
【図５】
0005358594.tif 000006
【図６】
0005358594.tif 000007
【図７】
0005358594.tif 000008
【図８】
0005358594.tif 000009